(57)【要約】【課題】  本発明は、パドリングしなくても波乗りすることができ、波乗りの未経験者であっても気軽に波乗りを楽しむことができる遊泳施設およびスロープを得るにある。【解決手段】  造波装置を備えた造波プールと、この造波プールの造波装置で発生した波に人を乗せたボードを滑降させて波乗りさせることができるスロープとで遊泳施設を構成している。【選択図】  図１
2005103114.tif 000002
【特許請求の範囲】
【請求項１】
造波装置を備えた造波プールと、この造波プールの造波装置で発生した波に人を乗せたボードを滑降させて波乗りさせることができるスロープとからなることを特徴とする遊泳施設。
【請求項２】
造波装置を備えた造波プールと、この造波プールの造波装置で発生した波に人を乗せたボードを加速状態で滑降させて波乗りさせることができる加速装置を備えたスロープとからなることを特徴とする遊泳施設。
【請求項３】
造波装置を備えた造波プールと、この造波プールの造波装置で発生した波に人を乗せたボードを加速状態で滑降させて波乗りさせることができる加速装置を備えたスロープと、前記造波装置で発生した波に人を乗せたボードが乗ることができるように前記加速装置および前記造波装置を制御する、あるいは前記加速装置、前記造波装置のいずれか一方を制御する制御装置とからなることを特徴とする遊泳施設。
【請求項４】
人を乗せたボードを滑降させて造波プールの造波装置で発生した波に波乗りさせることができるスロープ本体と、このスロープ本体に設けられた、前記造波プールのプールサイドに設置されるスタート台とからなることを特徴とするスロープ。
【請求項５】
人を乗せたボードを加速状態で滑降させて造波プールの造波装置で発生した波に波乗りさせることができる加速装置を備えたスロープ本体と、このスロープ本体に設けられた、前記造波プールのプールサイドに設置されるスタート台とからなることを特徴とするスロープ。
【請求項６】
加速装置は、ボードに立って乗った人が滑降時に転倒しないように体を支持することができる転倒防止用の支持具が設けられていることを特徴とする請求項２、３あるいは５に記載の遊泳施設およびスロープ。
【請求項７】
加速装置は、造波プールの造波装置で発生した波に人を乗せたボードが乗ることができるように加速状態を制御する制御装置を備えていることを特徴とする請求項５に記載のスロープ。
【請求項８】
人を乗せたボードをプールに滑降させて水上を滑走させることができるスロープ本体と、このスロープ本体に設けられた、前記プールのプールサイドに設置されるスタート台とからなることを特徴とするスロープ。
【発明の詳細な説明】
【技術分野】
【０００１】
本発明は、波乗り等を楽しむことができる遊泳施設およびスロープに関する。
【背景技術】
【０００２】
従来、造波プールは波乗り可能な波高を発現するものであるが、かかる造波プールでは、サーフィンやボディーボードを楽しむ人が、水上の所定位置までパドリングし、造波装置で発生された波に乗って楽しんでいる。
【０００３】
従来の造波プールでの波乗りは、波乗りを楽しむ人のパドリングの能力や技術により、波乗りができる範囲、波乗り時間等に個人差が生じるとともに、波乗りの未経験者ではそもそも波に乗ることが困難であるので、誰もが気軽に波乗りを楽しむことができないという欠点があった。
【特許文献１】特許第２６７５４４３号公報
【特許文献２】特許第３０３５０５６号公報
【特許文献３】特表２００３−５１６５５１号公報
【特許文献４】特開平６−７３９１１号公報
【発明の開示】
【発明が解決しようとする課題】
【０００４】
本発明は以上のような従来の欠点に鑑み、パドリングしなくても波乗りすることができ、波乗りの未経験者であっても気軽に波乗りを楽しむことができる遊泳施設およびスロープを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は、造波装置を備えた造波プールと、この造波プールの造波装置で発生した波に人を乗せたボードを滑降させて波乗りさせることができるスロープとで遊泳施設を構成している。
【０００７】
また、本発明は、人を乗せたボードを滑降させて造波プールの造波装置で発生した波に波乗りさせることができるスロープ本体と、このスロープ本体に設けられた、前記造波プールのプールサイドに設置されるスタート台とでスロープを構成している。
【発明の効果】
【０００８】
以上の説明から明らかなように、本発明にあっては次に列挙する効果が得られる。
【０００９】
（１）造波装置を備えた造波プールと、この造波プールの造波装置で発生した波に人を乗せたボードを滑降させて波乗りさせることができるスロープとで構成されているので、パドリングしなくても波乗りすることができる。
したがって、パドリングが不得手であったり、波乗りが未経験であっても気軽に波乗りを楽しむことができる。
【００１０】
（２）前記（１）によって、波に確実に乗ることができるので、効率よく波乗りを楽しむことができる。
【００１１】
（３）前記（１）によって、波乗りを開始する場所を限定できるので、安全管理上、監視を確実に行うことができる。
【００１２】
（４）請求項２も前記（１）〜（３）と同様の効果が得られるとともに、人を乗せたボードを加速装置で加速させて滑降させることができるので、よりスピード感のある波乗りを楽しむことができる。  
【００１３】
（５）請求項３も前記（１）〜（４）と同様の効果が得られるとともに、制御装置によって、造波装置で発生される波にタイミングよく確実に乗ることができる。
したがって、造波装置で発生される波の周期を気にしなくても、確実に波に乗ることができる。
【００１４】
（６）請求項４、５も前記（１）〜（４）と同様の効果が得られる。
【００１５】
（７）請求項６も前記（１）〜（５）と同様の効果が得られるとともに、転倒防止用の支持具によって、人がボードに立った状態で滑降しても効果的に転倒を防止することができる。
【００１６】
（８）請求項７も前記（１）〜（５）と同様の効果が得られる。
【００１７】
（９）請求項８は、人を乗せたボードをプールに滑降させて水上を滑走させることができるスロープ本体と、このスロープ本体に設けられた、前記プールのプールサイドに設置されるスタート台とで構成されているので、効率よく水上をボードで滑走させることができる。
したがって、遊泳をより楽しむことができる。
【発明を実施するための最良の形態】
【００１８】
以下、図面に示す本発明を実施するための最良の形態により、本発明を詳細に説明する。
【００１９】
図１ないし図７に示す本発明を実施するための最良の第１の形態において、１は、波乗りを楽しむことができる本発明の遊泳施設で、この遊泳施設１は、造波装置２を備えた造波プール３と、この造波プール３の造波装置２で発生した波４に人５を乗せたボード６を加速状態で滑降させて波乗りさせることができる加速装置７を備えたスロープ８と、前記造波プール３の造波装置２で発生した波４に人５を乗せたボード６が乗ることができるように前記加速装置７および前記造波装置２を制御する、あるいは前記加速装置７、前記造波装置２のいずれか一方を制御する、本形態では前記加速装置７および前記造波装置２を制御する制御装置９とで構成されている。
【００２０】
前記造波プール３は、屋外あるいは屋内に設置されている従来から用いられている態様のもので構成されている。
【００２１】
前記スロープ８は、図３ないし図５に示すように、人５を乗せたボード６を加速状態で滑降させて造波プール３の造波装置２で発生した波４に波乗りさせることができる加速装置７を備えたスロープ本体１１と、このスロープ本体１１に設けられた、前記造波プール３のプールサイドに設置されるスタート台１１Ａとで構成されている。
【００２２】
前記スロープ本体１１は、凹状の滑降路１０が形成され、下流側が前記造波プール３の水面方向に向けられて配設されている。
【００２３】
前記加速装置７は、人５を乗せたボード６が乗せられる加速用ボード１２と、この加速用ボード１２が取付けられた、当該加速用ボード１２を加速状態で移動させる移動装置１３とで構成されている。
【００２４】
前記移動装置１３は、前記スロープ本体１１の側壁部の滑降路１０以外の部位に設けられたレール１４と、このレール１４に後端部がスライド移動可能に取付けられ、先端部が前記スロープ本体１１の側壁部の開口部１１ａより突出されて前記加速用ボード１２を着脱可能に取付けた移動アーム１５と、この移動アーム１５の後端部に取付けられたリング状のワイヤー１６と、このワイヤー１６の両端部をガイドするガイドローラー１７、１７と、一方のガイドローラー１７に取付けられたモータ１８とで構成されている。なお、当該移動装置１３のスロープ本体１１の開口部１１ａは、例えば、切れ目を有する厚手のゴムシートカバーで覆うように構成することで、安全面に配慮することができる。
【００２５】
前記制御装置９は、前記加速装置７に備えられ、前記造波プール３の造波装置２によって発生される波４が、所定の波乗り位置に到達したところで、人５を乗せたボード６がスロープ８から飛び出せるように前記加速装置７のモータ１８および前記造波装置２を制御する。かかる制御は、予め計算により割り出されたデータに基づいて、最適なタイミングで波乗りが楽しめるように各装置の始動時間、作動時間間隔、作動速度等が設定されている。
【００２６】
また、前記制御装置９は、スロープ８の上流部に設置されたスタートボタン１９によってスタート操作できるように構成されている。なお、波乗り以外の場合には、造波装置２が独立して通常の作動状態になるように設定されている。
【００２７】
上記構成の遊泳施設１は、先ず、波乗りをする人５がボード６を持ってスロープ８のスタート台１１Ａよりスタートポイントに移動する。この場合、加速装置７の加速用ボード１２をスタート位置にスタンバイさせておく。
【００２８】
次に、ボード６を加速用ボード１２上に乗せて人５がうつ伏せ状態に寝るようにスタンバイしてから、係員等がスタートボタン１９を押すことで、制御装置９によって波乗りに最適なタイミングで加速装置７を作動させる。
【００２９】
前記加速装置７の加速用ボード１２で加速された人５が乗ったボード６は、スロープ８のスロープ本体１１の滑降路１０を加速状態で滑降し、その最下流部で前記加速用ボード１２が停止することで、人５が乗ったボード６のみがスロープ外に勢いよく飛び出される。
【００３０】
これにより、前記制御装置９によって、前記造波プール３の造波装置２で発生された波４にタイミングよく乗ることができる。
したがって、パドリングが不得手であったり、波乗りが未経験であっても、誰もが波乗りを気軽に楽しむことができる。
【００３１】
なお、前記加速装置７は、加速用ボード１２がスロープ本体１１の最下流部に移動した後は、移動装置１３によって再びスタートポイントまで加速用ボード１２を移動させる。このように構成することで、順次波乗りを行うことができる。
{発明を実施するための異なる形態}
【００３２】
次に、図８ないし図１９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００３３】
図８ないし図１１に示す本発明を実施するための第２の形態において、前記本発明を実施するための最良の第１の形態と主に異なる点は、人５が前向きあるいは横向きで立った状態で波乗りすることができるように、フットストラップ２０が前後左右方向に複数個取付けられたボード６Ａを用いるとともに、このボード６Ａに前向きあるいは横向きで立った状態で乗った人５が加速時に慣性力で後ろに転倒してしまう不具合を回避するために、後端部に前記ボード６Ａに乗った人５の背中等を支持する転倒防止用の支持具２１が設けられた加速用ボード１２Ａを備えた加速装置７Ａを用いた点で、このようなボード６Ａおよび加速装置７Ａを備えたスロープ８Ａを構成した遊泳施設１Ａにしても前記本発明を実施するための最良の第１の形態と同様の作用効果が得られるとともに、波乗りを立った状態で行うことができる。
【００３４】
図１２ないし図１４に示す本発明を実施するための第３の形態において、前記本発明を実施するための最良の第１の形態と主に異なる点は、加速装置７を備えないスロープ８Ｂを用いるとともに、スタートボタン１９の操作によって人５を乗せたボード６が最適なタイミングで波乗りすることができるように造波装置２を制御する制御装置９Ａを用いた点で、このようなスロープ８Ｂおよび制御装置９Ａを備えた遊泳施設１Ｂにしても前記本発明を実施するための最良の第１の形態と同様の作用効果が得られる。
なお、本形態において、スロープ８Ｂは、スタートポイントが一箇所のものについて説明したが、発明はこれに限らず、滑降スピードの強弱を調節するために、上下に複数のスタートポイントを設けるようにしてもよい。
【００３５】
図１５および図１６に示す本発明を実施するための第４の形態において、前記本発明を実施するための最良の第１の形態と主に異なる点は、前記造波プール３の造波装置２の作動状態を感知する感知手段２２と、この感知手段２２で感知された信号を認識して前記加速装置７を作動させる制御装置９Ｂを用いた点で、このような感知手段２２および制御装置９Ｂを用いた遊泳施設１Ｃにしても前記本発明を実施するための最良の第１の形態と同様の作用効果が得られる。
なお、前記制御装置９Ｂは、前記造波プール３と前記スロープ８の設計態様によって、例えば、加速装置７のスタートを感知手段２２で感知してから、制御装置９Ｂで前記造波プール３の造波装置２を作動させるように構成してもよい。
【００３６】
図１７ないし図１９に示す本発明を実施するための第５の形態において、前記本発明を実施するための最良の第１の形態と主に異なる点は、スタート台１１Ａにスロープ本体１１を左右方向に回動可能に取付けたスロープ８Ｃを用いた点で、このようなスロープ８Ｃを用いた遊泳施設１Ｄにしても前記本発明を実施するための最良の第１の形態と同様の作用効果が得られるとともに、前記スロープ本体１１を適宜回動させることで波４への進入角度を調節することができる。
【００３７】
なお、前記本発明を実施する各形態において、加速装置７、７Ａの移動装置１３は、スロープ本体１１に設けられたレール１４、移動アーム１５、リング状のワイヤー１６、ガイドローラー１７、１７およびモータ１８とで構成されてたもについて説明したが、本発明はこれに限らず、加速用ボード１２、１２Ａを可動させる構造であれば、例えば、従来から各種アトラクション等で採用されている移動手段によって構成してもよい。
【００３８】
また、前記本発明を実施する各形態において、遊泳施設１、１Ａ、１Ｂ、１Ｃ、１Ｄには、制御装置９、９Ａ、９Ｂが備えられたものについて説明したが、本発明はこれに限らず、このような制御装置９、９Ａ、９Ｂを用いずに、例えば、造波プール３の造波装置２で発生する波の傾向から波乗りに適した波４が所定ポイントまで到達する時間等を経験則等によって割り出しておき、このような波４の到達時間等を把握した係員の合図によってボード６を滑降させるように構成してもよい。
【００３９】
さらに、前記本発明を実施する各形態において、スロープ８（８Ａ、８Ｂ、８Ｃ）は、造波プール３に１つ設けたものについて説明したが、本発明はこれに限らず、当該スロープ８（８Ａ、８Ｂ、８Ｃ）を複数並列させた状態となるように構成したり、対岸に向かい合わせとなるように構成してもよい。
【００４０】
また、前記本発明を実施する各形態において、スロープ８（８Ａ、８Ｂ、８Ｃ）は、造波プール３に設置したものについて説明したが、本発明はこれに限らず、例えば、造波プール３以外のプールや海岸等において設置して用いてもよく、特に、前記プールに設置した場合には、人を乗せたボードをプールに滑降させて水上を滑走させることができるので、遊泳を楽しむことができる。
【産業上の利用可能性】
【００４１】
本発明は遊泳施設およびスロープを生産する産業で利用される。
【図面の簡単な説明】
【００４２】
【図１】本発明を実施するための最良の第１の形態の平面図。
【図２】図１の２−２線に沿う拡大断面図。
【図３】本発明を実施するための最良の第１の形態のスロープの説明図。
【図４】図３の４−４線に沿う拡大断面図。
【図５】図４の５−５線に沿う断面図。
【図６】本発明を実施するための最良の第１の形態の概略説明図。
【図７】本発明を実施するための最良の第１の形態の使用状態の説明図。
【図８】本発明を実施するための第２の形態の平面図。
【図９】本発明を実施するための第２の形態のスロープの説明図。
【図１０】図９の１０−１０線に沿う拡大断面図。
【図１１】図１０の１１−１１線に沿う断面図。
【図１２】本発明を実施するための第３の形態の平面図。
【図１３】図１２の１３−１３線に沿う拡大断面図。
【図１４】本発明を実施するための第３の形態の概略説明図。
【図１５】本発明を実施するための第４の形態の平面図。
【図１６】本発明を実施するための第４の形態の概略説明図。
【図１７】本発明を実施するための第５の形態の平面図。
【図１８】図１７の１８−１８線に沿う拡大断面図。
【図１９】本発明を実施するための第５の形態のスロープの説明図。
【符号の説明】
【００４３】
１、１Ａ〜１Ｄ：遊泳施設、    ２：造波装置、
３：造波プール、              ４：波、
５：人、                      ６、６Ａ：ボード、
７、７Ａ：加速装置、          ８、８Ａ〜８Ｃ：スロープ、
９、９Ａ、９Ｂ：制御装置、    １０：滑降路、
１１：スロープ本体、          １２、１２Ａ：加速用ボード、
１３：移動装置、              １４：レール、
１５：移動アーム、            １６：ワイヤー、
１７：ガイドローラ、          １８：モータ、
１９：スタートボタン、        ２０：足フック、
２１：支持具、                ２２：感知手段。
【図１】
2005103114.tif 000003
【図２】
2005103114.tif 000004
【図３】
2005103114.tif 000005
【図４】
2005103114.tif 000006
【図５】
2005103114.tif 000007
【図６】
2005103114.tif 000008
【図７】
2005103114.tif 000009
【図８】
2005103114.tif 000010
【図９】
2005103114.tif 000011
【図１０】
2005103114.tif 000012
【図１１】
2005103114.tif 000013
【図１２】
2005103114.tif 000014
【図１３】
2005103114.tif 000015
【図１４】
2005103114.tif 000016
【図１５】
2005103114.tif 000017
【図１６】
2005103114.tif 000018
【図１７】
2005103114.tif 000019
【図１８】
2005103114.tif 000020
【図１９】
2005103114.tif 000021